(57)【要約】      （修正有）【課題】蛍光灯と交換可能で作業が簡単かつ明るさの効率がよく、かつ落雷に強いＬＥＤ照明装置を提供する。【解決手段】Ｖ字型に成型した６列の６００ｍｍ×６００ｍｍの光反射放熱板２を用意して、Ｖ字部で光が反射するように、奥の平面部に発光ダイオード３を取付ける。光を通すシェード板として、１ｍｍのアクリル板６を使用し両者を合わせて、金具４に差込み、一体化したものを製作する。ついで、蛍光灯を取り外した天井に、ビス穴やコードの穴を有する鉄板１を天井板として取付け、金具に照明部分の付いたパーツとアクリル板を挿入したパーツを、天井板に取付ける。さらに電源回路に１ファラッドの電気二重層キャパシタを１０個接続して、落雷による障害発生を防止する機能を持たせる。【選択図】図１
0003162713.tif 000002
【実用新案登録請求の範囲】
【請求項１】
取付けビスやコードを通す穴を有する天井板、発光ダイオードを取付けた複数列のＶ字型光反射放熱板、光を通すアクリル板の三種類の部品とそれらを固定する金具の４種類の部品からなるＬＥＤ照明装置
【請求項２】
天井板とＶ字型光反射放熱板の空間の配線ボックスに、静電容量の大きい電気二重層キャパシタを設置した落雷被害防止機能を有する請求項１のＬＥＤ照明装置
【請求項３】
発光ダイオードを取付けた複数列のＶ字型光反射放熱板の列数が、４列から８列である明るさの効率が４０以上のＬＥＤ照明装置
【考案の詳細な説明】
【技術分野】
【０００１】  本考案は、蛍光灯に変わって普及しようとしているＬＥＤ照明装置に関するものである。
【背景技術】
【０００２】  青色発光ダイオードの開発により光の３原色である赤、緑、青のＬＥＤ光源が揃った。近年、省エネ照明器具としての利用が期待されている。しかしながら既設の工場や集合住宅では、まだ蛍光灯照明のままの所が多い。蛍光灯と交換する作業性、落雷に対する被害防止策の問題があり、普及を妨げていた。
【先行技術文献】
【特許文献】
【０００３】  公報テキスト検索により実用新案公報と公開実用新案公報を、ＬＥＤ照明、組立、構造をキーワードにして検索すると実用新案登録が１件検索できた。ＬＥＤ照明と室内照明をキーワードにして検索すると１２件が検索できた。発光ダイオードとレンズを直線的に並べたもの（特許文献１）、高効率のＬＥＤ照明具の構造として導光板を使用するもの（特許文献２）、光回折シートのような回折部材を発光ダイオードの下に使用する構造（特許文献３）、光を集光して外部へ射出する柱状の光路を設けた技術（特許文献４）等が先行文献にあった。本考案に類似の技術は見当たらなかった。
【特許文献１】実用新案登録３１５７１６１
【特許文献２】実用新案登録３１４５３６２
【特許文献３】実用新案登録３１３５３２８
【特許文献４】実用新案登録３１３５３２６
【非特許文献】
【０００４】  本考案に関連する非特許文献は見当たらない。
【考案の概要】
【考案が解決しようとする課題】
【０００５】  既設の工場や共同住宅に普及させるには、大幅な改装工事が不要であり、簡単に取付けができること、また、ＬＥＤ照明が蛍光灯より暗いとのクレイムもあり、直下１ｍの照度として９００ルックス以上が求められている。さらに、落雷に弱いとの課題もあり、これらの解決が求められていた。次項において、これらの課題の解決手段について述べる。
【課題を解決するための手段】
【０００６】  本考案の目的の第一は、工場において従来の蛍光灯照明をＬＥＤ照明に取替え易いように、組み合せ部品を単純化する。しかも取付け作業性の良好なＬＥＤ照明装置を提供するものである。改装することなく、蛍光灯の位置に設置できることが望ましい。
第二は、電源回路に静電容量の大きい電気二重層キャパシタを使用して落雷による被害防止構造の採用である。第三は、光効率の良好な照明装置の提供であり、照度Ｌｕｘを消費電力Ｗで除したＬｕｘ／Ｗの値を、明るさの効率と考え、これを高める構造で照明装置を提供するものである。光源から１ｍ真下の位置で明るさの効率の数値を４０以上にしてこの課題を解決する。
【考案の効果】
【０００７】  取付けビスやコードを通す穴を有する天井板をまず取付け、発光ダイオードを取付けた複数列のＶ字型光反射放熱板、光を通すアクリル板を金具に差込み、その金具を天井板に取付ける簡単な方法で、従来の蛍光灯を入れ替えることができる。【０００８】  Ｖ字型の反射放熱版と天井板のＶ字型空間に配電ボックスを設けて、電源回路に静電容量約１Ｆの電気二重層キャパシタ１０個を直列つなぎ、落雷による被害を防止するようにした。また定電流回路とコイルとの併用により突入電圧をゆっくり上昇させてＬＥＤチップに加わる過負荷の低減も行っている。この電気二重層キャパシタのために、消灯時の光の残存が１分程度に延長されて残存照明効果となっている。
また非常に大容量によりノイズのピーク電圧によるＬＥＤチップへのダメージの吸収と電磁波等有害電波の吸収も同時に行える回路である。【０００９】  ＬＥＤ発光の配列について工夫をして、４列から８列の電灯としてユニット化することにより光源から１ｍ真下の位置において、明るさの効率の数値を、１Ｗ当り４０以上５５ルックスまで高めることができた。
【図面の簡単な説明】
【００１０】
【図１】天井に取付けたＬＥＤ照明装置の側面の模式図である。
【図２】Ｖ字型の反射放熱板と光を通すアクリル板を取付け金具に差込んだ部分の拡大模式図
【図３】ＬＥＤダイオードを配列させた列数と明るさの効率の関係を示す図  グラフの縦軸は明るさの効率Ｌｕｘ／Ｗを、横軸はＬＥＤダイオードを配列した列数である。ＬＥＤ照明装置の照明面積は同じで、幅と長さを三種類変更して明るさの効率を調査した図である。照明部の形状によりグラフは、Ａ、Ｂ、Ｃと分かれた。このグラフは、Ｂの構造で使用するのが明るさの効率が良いことを示している。  Ａ  サイズ  １２００ｍｍ×３００ｍｍ  Ｂ  サイズ  ６００ｍｍ×６００ｍｍ  Ｃ  サイズ  １８００ｍｍ×２００ｍｍ
【考案を実施するための形態】
【００１１】  本考案を実施する形態について図によって説明する。図１は、天井に取付けたＬＥＤ照明装置の横断面を模式的に書いた図である。１は天井板である家屋の天井に取付けるビス穴、コードを通す穴のある板である。２は、アルミニウムの板であり、表面実装型の発光素子の３が取付けられている。２の表面は、光沢のある反射性の良い面となっており、３の光が反射し易い形状となっている。図１では、６列配列させている。１の天井板と２のアルミニウムの折れ曲がった反射板は、接触していなくて、離れていてもよい。
【００１２】  図２は、４の所の拡大図である。４の取付け金具に、２のアルミニウム反射板の端が、６のアクリル板と共に金具へ差し込まれている。天井板への金具の取付け方法には、色々の方法がある。引掛ける構造や図１の５のように、ボルトで締め付ける方法もある。６のアクリル板は、光を通す板であり、乳白色の板である。取付けやすいように、差し込みとボルトで組み立てられる構造にした。
【００１３】  つぎに光効率を上げるための発光素子の配列について実験をした。照明の面積は同じで、列数と形状を変えて測定をした結果を図３に示した。照度の測定は、照明装置の中心部の真下の１ｍの位置で測定した。グラフに示すように、照明装置の構造によりＡ、Ｂ、Ｃと大きく異なった。図面の簡単な説明の所で述べたように、Ｃの効率が最も悪く、Ａが中間であり、Ｂの明るさの効率が最も良い結果を得た。
【実施例】
【００１３】  まず、Ｖ字型に成型した６列の６００ｍｍ×６００ｍｍの光反射放熱板を用意して、Ｖ字部で光が反射するように、奥の平面部に発光ダイオードを取付けた。光を通すシェード板として、１ｍｍのアクリル板を使用し両者を合わせて、図２のように金具に差込み、一体化したものを製作した。ついで、蛍光灯を取り外した天井に、ビス穴やコードの穴を有する鉄板を天井板として取付けた。金具に照明部分の付いたパーツとアクリル板を挿入したパーツを、天井板に取付けて完成させた。【００１４】  さらに電源回路に１ファラッドの電気二重層キャパシタを１０個接続して、落雷による障害発生を防止する機能を持たせた。ＬＥＤ照明装置を点灯して、その中心部の１ｍ直下で、照度を測定すると８８０ルックスであった。消費電力１８ワットで割ると、明るさの効率は、４８．８であった。蛍光灯照明器具と比較して、電力費は７７．５％節減でき、明るさの効率は３５％高くなった。
【産業上の利用可能性】
【００１５】  蛍光灯と比較して、長寿命半導体には、交換の難しい場所での維持費を低減させ、廃棄物や二酸化炭素の発生を減少させる効果がある。生産工場、オフィス、地下駐車場、レストラン、病院等での利用が進むものと判断している。
【符号の説明】
【００１６】１天井へ取付ける鉄板
２アルミニウムのＶ字型の反射と放熱の作用のある折板
３ＬＥＤダイオード
４取付け金具
５締付け固定のボルト
６光を通すアクリル板
Ａサイズ１２００ｍｍ×３００ｍｍの形状のＬＥＤ照明
Ｂサイズ６００ｍｍ×６００ｍｍの形状のＬＥＤ照明
Ｃサイズ１８００ｍｍ×２００ｍｍの形状のＬＥＤ照明
【図１】
0003162713.tif 000003
【図２】
0003162713.tif 000004
【図３】
0003162713.tif 000005
【手続補正書】
【提出日】平成22年6月25日(2010.6.25)
【手続補正１】
【補正対象書類名】実用新案登録請求の範囲
【補正対象項目名】請求項３
【補正方法】変更
【補正の内容】
【請求項３】
発光ダイオードを取付けた複数列のＶ字型光反射放熱板の列数が、４列から８列であり、明るさの効率が４０ルックス／ワット以上であることを特徴とする請求項１記載のＬＥＤ照明装置